(57)【特許請求の範囲】
【請求項１】
運動靴であって、
足の面に接する内装材１と、
前記内装材１の一部を覆い、前記内装材１よりも伸び難い素材で形成されたループ状のラップＷとを備え、前記ラップＷは、
踵骨ＢＣの内側Ｍ、背面Ｂおよび外側Ｌを連続的に覆う踵部Ｗ１と、
前記踵部Ｗ１の内側Ｍにおいて前記踵部Ｗ１の前端部に連なり、前記足の内側Ｍにおいて捩れながら足裏の下方に向かう帯状及び／又は紐状の捩れ部Ｗ２と
前記捩れ部Ｗ２の前端部に連なり、前記足裏の下方において母趾球Ｏ１まで足裏の内側部に沿って延びる内側底部Ｗ３と、
前記踵部Ｗ１の外側Ｌにおいて前記踵部Ｗ１の前端部に連なり、立方骨ＢＣｕの少なくとも一部及び／又は第５中足骨Ｂ５粗面Ｂ５ｆの少なくとも一部を覆い、更に足の甲の上面を斜め前方に向かって延び母趾の上面の一部及び前記母趾球Ｏ１の側面の少なくとも一部を覆う帯状及び／又は紐状の斜め横断部Ｗ４とを備える。
【請求項２】
請求項１の運動靴において、
前記斜め横断部Ｗ４は前記帯状及び／又は紐状の第１部Ｗ４１と第２部Ｗ４２とを包含し、
前記第１部Ｗ４１と前記第２部Ｗ４２とを互いに脱着可能に連結する連結構造Ｊを更に備える。
【請求項３】
請求項２の運動靴において、前記連結構造Ｊは、
前記第２部Ｗ４２の先端部は前記第１部Ｗ４１が挿通される貫通孔Ｗ４０を定義し、  前記第１部Ｗ４１の先端部において前記貫通孔Ｗ４０に挿入されて折り返されている。
【請求項４】
請求項３の運動靴において、足の甲を包むアッパー６を締め付けるシューレース３を更に備え、
前記第１部Ｗ４１の前記折り返された先端部に前記シューレース３が係合している。
【請求項５】
請求項１の運動靴において、
前記内装材１の少なくとも一部を覆う外装材２を更に備え、
前記内装材１と前記外装材２との間に前記斜め横断部Ｗ４の一部が配置されている。
【請求項６】
請求項５の運動靴において、
前記内装材１は足の外側面に接する外側内装材１０を包含し、
前記外装材２は前記外側内装材１０を覆う外側外装材２０を包含し、
前記外側内装材１０と外側外装材２０との間に前記斜め横断部Ｗ４の一部が配置されている。
【請求項７】
請求項６の運動靴において、
前記外側外装材２０における前記斜め横断部Ｗ４を覆う部位の少なくとも一部、並びに、前記外側外装材２０における前記斜め横断部Ｗ４よりも前方の部位のうちの少なくとも一部において、前記外側外装材２０が前記外側内装材１０に付着されておらず、かつ、
足の甲を包むアッパー６を締め付けるシューレース３が係合するための係合部２７が前記外側外装材２０の前記外側内装材１０に付着されていない非付着部２０１に複数設けられている。
【請求項８】
請求項７の運動靴において、
前記複数の係合部２７のうち、互いに隣接する係合部２７の間において、前記外側外装材２０に外側外装材２０の上端から下方に向かって延びる切り欠き２９が形成されている。
【請求項９】
請求項６の運動靴において、
前記外側内装材１０に外側外装材２０が前記踵部Ｗ１において一体に付着された付着部Ｗ１０と、
前記外側内装材１０に外側外装材２０が少なくとも中足部の上部において非付着状態の非付着部２０１とを更に備え、
前記非付着部２０１の上部の前端から後端までの部位が前記外側内装材１０に非付着状態に設定されている。
【請求項１０】
請求項１〜９のいずれか１項の運動靴において、
接地面を有するアウトソール４と、
前記アウトソール４の上に配置された熱可塑性樹脂の発泡体を主体とするミッドソール５と、
前記ミッドソール５に固着され足の甲を包むアッパー６とを更に備え、
前記捩れ部Ｗ２及び斜め横断部Ｗ４が前記ミッドソール５よりも伸び難い帯状及び／又は紐状の部材で形成されている。
【請求項１１】
請求項１〜９のいずれか１項の運動靴において、
複数のクリートを有し、革又は合成樹脂の非発泡体を主体とするソールと、
前記ソールに固着され足の甲を包むアッパー６とを更に備え、
前記ソールの少なくとも一部により前記内側底部Ｗ３が形成されている。
【請求項１２】
請求項１〜１１のいずれか１項の運動靴において、
足の甲を包むアッパー６が前記内装材１と前記内装材１よりも伸び難い外装材２とを備え、
前記外装材２の下縁がソールの上縁の内面に沿って延びており、
前記外装材２の下縁およびソールの一部により前記内側底部Ｗ３の少なくとも一部が形成されている。
【請求項１３】
請求項１２の運動靴において、前記ソールは、
接地面を有するアウトソール４と、
前記アウトソール４の上に配置された熱可塑性樹脂の発泡体を主体とするミッドソール５と、
足の少なくとも内側ＭのアーチＭＡにおいて前記ミッドソール５に付着され、足のアーチが低下するのを抑制する強化部材７とを包含し、
前記ミッドソール５を前記強化部材７が強化することで、前記内側底部Ｗ３が強化されている。
【請求項１４】
請求項１〜１３のいずれか１項の運動靴において、
前記斜め横断部Ｗ４の一端部はソールの上面に沿って、かつ、前記母趾球Ｏ１の裏面の少なくとも一部を覆うように、前記母趾球Ｏ１の側面から前記母趾球Ｏ１の下方に潜り込むように延びている。
【請求項１５】
請求項１〜１４のいずれか１項の運動靴において、
ソールは中足の内側において巻き上る巻上部５０を備え、
前記捩れ部Ｗ２の前端部は、前記巻上部５０の上面に沿って、かつ、足裏の内側ＭのアーチＭＡと前記巻上部との間に潜り込むように延びている。
【請求項１６】
請求項１〜１５のいずれか１項の運動靴において、
前記斜め横断部Ｗ４は前記立方骨ＢＣｕの少なくとも一部及び／又は前記第５中足骨Ｂ５の粗面Ｂ５ｆの少なくとも一部を覆う部位から、前記母趾の上面の一部に至る経路において足の甲の表面に沿って螺旋状に、かつ、連続的に延びている。
【発明の詳細な説明】
【技術分野】
【０００１】
本発明は主としてバレーボールやバスケットボールなどのインドアシューズ等に関する。
【背景技術】
【０００２】
近年、バレーボールにおけるスパイクスタイルの変化に伴い、ジャンプする際の前足（ジャンプ直前に身体より進行方向前側に接地した足）のサイドブレーキに掛かる負荷が著しく大きくなっている。また、バスケットボールにおいてもユーロステップと呼ばれる激しい切り返し動作が一般化し始めている。【０００３】
そのため、従来のシューズ構造ではアッパーの剛性の不足により、ソールから足が外側にはみ出る”棚落ち”と呼ばれる現象や、下肢が流されることに起因する踵の外捩れによって、鉛直方向に地面を蹴る際の入力位置が小趾球側へズレ易いという実情がある。【０００４】
前記”棚落ち”や踵の外捩れは、ジャンプ動作時に地面を蹴る力の中心位置が小趾球側にズレたり、外に捩れた踵部を復帰させる必要があり、切り返しやスパイク動作の際にタイムロスの生じる要因となるだろう。
【先行技術文献】
【特許文献】
【０００５】
【特許文献１】ＪＰ２００５−１５２４９０Ａ（要約）
【発明の概要】
【０００６】
本発明の目的は、”棚落ち”量の軽減や踵の外捩れ抑制による、鉛直方向に地面を蹴る際の入力位置の小趾球側へのズレを抑制すること、切り返し動作やスパイク動作におけるタイムロスの削減など、種々の競技においてパフォーマンスを向上させることである。
【０００７】
本発明は足の面に接する内装材１と、
前記内装材１の一部を覆い、前記内装材１よりも伸び難い素材で形成されたループ状のラップＷとを備え、前記ラップＷは、
踵骨ＢＣの内側Ｍ、背面Ｂおよび外側Ｌを連続的に覆う踵部Ｗ１と、
前記踵部Ｗ１の内側Ｍにおいて前記踵部Ｗ１の前端部に連なり、前記足の内側Ｍにおいて捩れながら足裏の下方に向かう帯状及び／又は紐状の捩れ部Ｗ２と
前記捩れ部Ｗ２の前端部に連なり、前記足裏の下方において母趾球Ｏ１まで足裏の内側部に沿って延びる内側底部Ｗ３と、
前記踵部Ｗ１の外側Ｌにおいて前記踵部Ｗ１の前端部に連なり、立方骨ＢＣｕの少なくとも一部及び／又は第５中足骨Ｂ５粗面Ｂ５ｆの少なくとも一部を覆い、更に足の甲の上面を斜め前方に向かって延び母趾の上面の一部及び前記母趾球Ｏ１の側面の少なくとも一部を覆う帯状及び／又は紐状の斜め横断部Ｗ４とを備える。
【０００８】
本ループ状のラップＷは、アッパー６において踵部Ｗ１から、内側Ｍにおいては捩れ部Ｗ２を通って、足裏の下方において母趾球Ｏ１まで内側底部Ｗ３が延び、かつ、前記踵部Ｗ１から外側Ｌにおいては立方骨ＢＣｕないし第５中足骨粗面Ｂ５ｆの側面及び／又は上面を覆い、更に、甲を斜め前方に向かって延び前記母趾球Ｏ１に至る。
【０００９】
今、ジャンプや切り返し動作時に、母趾球Ｏ１下に鉛直方向Ｚの力が入力されると、ループ状のラップＷは足の内側Ｍおよび外側Ｌの双方から踵の外側Ｌを内側Ｍに向かって引き付けると共に甲の外側Ｌを内側Ｍへ向かって引き付けるだろう。
そのため、前記”棚落ち”や踵の外捩れが生じにくくなるだろう。したがって、着用者のパフォーマンスがアップするだろう。
【００１０】
本発明において、「ループ状」とは、ラップＷが完全なループ（エンドレス）である場合の他に、局部的に例えば母趾の部位などで連なっていない場合を含むことを意味する。局部的に連なっていなくても、本質的にループ状であれば、ラップＷによる引き付け作用が得られるだろう。
【００１１】
本発明において、「伸び難い素材」とは競技中に加わる負荷ではラップＷが実質的ないし本質的に伸びない非伸縮材を意味する。したがって、「伸び難い素材」は好ましくはミッドソール５を構成する樹脂の発泡体よりも伸び難く、より好ましくはゴムのアウトソール４よりも伸び難い。
【００１２】
本発明において、「帯状」とはベルトを含み、かつ、複数本の互いに略平行に並んだ（並列に配置された）紐を含む。
【００１３】
「足裏の内側部に沿って延びる内側底部Ｗ３」は、ソールとは別の部材がソールの上面の内側部に沿って配置されてもよいし、あるいは、足裏の内側部に沿うソールの内側部自体で形成されていてもよいことを意味する。
【図面の簡単な説明】
【００１４】
【図１】図１は本発明の原理を示し、足の骨格とラップとの関係を示す内側面図である。
【図２】図２は同関係を示す外側面図である。
【図３】図３は同関係を示す平面図である。
【図４】図４は本発明の一実施例を示し、外装材を剥がした運動靴を内側から見た斜視図である。
【図５】図５は運動靴を内側から見た斜視図である。
【図６】図６は運動靴を外側から見た斜視図である。
【図７】図７は運動靴の平面図である。
【図８】図８は外装材を開いて示す運動靴の平面図である。
【図９】図９は外側外装材を開いた運動靴を示す斜視図である。
【図１０】図１０は図４のＸ−Ｘ線における運動靴の模式的な横断面である。
【図１１】図１１は図７のＸＩ−ＸＩ線、つまり、斜め横断部に沿った運動靴の模式的な横断面である。
【発明を実施するための形態】
【００１５】
好ましくは、前記斜め横断部Ｗ４は前記帯状及び／又は紐状の第１部Ｗ４１と第２部Ｗ４２とを包含し、
前記第１部Ｗ４１と前記第２部Ｗ４２とを互いに脱着可能に連結する連結構造Ｊを更に備える。
【００１６】
この場合、第１部Ｗ４１と第２部Ｗ４２とを互いに脱着するための連結構造Ｊが斜め横断部Ｗ４に設けられている。したがって、着用者はラップＷの緊締と弛緩の切替が容易であろう。
【００１７】
好ましくは、前記連結構造Ｊは前記第２部Ｗ４２の先端部は前記第１部Ｗ４１が挿通される貫通孔Ｗ４０を定義し、前記第１部Ｗ４１の先端部において前記貫通孔Ｗ４０に挿入されて折り返されている。
【００１８】
この場合、第１部Ｗ４１と第２部Ｗ４２との係合状態を維持し易く、かつ、係合部分においてラップＷの伸びが生じにくいだろう。
【００１９】
好ましくは、足の甲を包むアッパー６を締め付けるシューレース３を更に備え、
前記第１部Ｗ４１の前記折り返された先端部に前記シューレース３が係合している。
【００２０】
この場合、シューレース３を緩めるとラップＷも緩み、アッパー６内に足を入れる動作が容易であろう。一方、シューレース３でアッパー６の内外を締め付けるとラップＷも緊張し、着用も容易であろう。
【００２１】
好ましくは、前記内装材１の少なくとも一部を覆う外装材２を更に備え、
前記内装材１と前記外装材２との間に前記斜め横断部Ｗ４の一部が配置されている。
【００２２】
前記”棚落ち”や踵の外捩れを抑制するには、アッパー６の剛性が大きくなるのは避けられない。しかし、剛性の大きいアッパー６の外周囲にラップＷを配置しても、ラップＷによる引き付け力は足に作用しにくいだろう。
内装材１と外装材２との間に斜め横断部Ｗ４の一部が配置されると、ラップＷの引き付け力が外装材２よりも柔軟な内装材１を通して足に直接的に作用する。したがって、”棚落ち”や踵の外捩れを抑制し易いだろう。
また、ラップＷが外装材２から露出し難しく、そのため、ラップＷが競技動作の妨げになるおそれもない。
【００２３】
好ましくは、前記内装材１は足の外側面に接する外側内装材１０を包含し、
前記外装材２は前記外側内装材１０を覆う外側外装材２０を包含し、
前記外側内装材１０と外側外装材２０との間に前記斜め横断部Ｗ４の一部が配置されている。
【００２４】
この場合、足の外側においてラップＷが内装材１と外装材２との間に隠れ、前記ラップＷがプレー中に他の競技者の邪魔になる恐れがない。
なお、本「内装材」とはタンの一部であって足の内側Ｍまたは外側Ｌに配置された材料を含む。
【００２５】
好ましくは、前記外側外装材２０における前記斜め横断部Ｗ４を覆う部位の少なくとも一部、並びに、前記外側外装材２０における前記斜め横断部Ｗ４よりも前方の部位のうちの少なくとも一部において、前記外側外装材２０が前記外側内装材１０に付着されておらず、かつ、
足の甲を包むアッパー６を締め付けるシューレース３が係合するための係合部２７が前記外側外装材２０の前記外側内装材１０に付着されていない非付着部２０１に複数設けられている。
【００２６】
この場合、足の外側Ｌにおいてアッパー６の横方向の剛性が外側内装材１０及び外側外装材２０により高くなり、一方、足が背屈しやすくなる。
【００２７】
好ましくは、前記複数の係合部２７のうち、互いに隣接する係合部２７の間において、前記外側外装材２０に外側外装材２０の上端から下方に向かって延びる切り欠き２９が形成されている。
この場合、切り欠き２９により、足が更に背屈しやすくなる。
【００２８】
好ましくは、前記外側内装材１０に外側外装材２０が前記踵部Ｗ１において一体に付着された付着部Ｗ１０と、
前記外側内装材１０に外側外装材２０が少なくとも中足部の上部において非付着状態の非付着部２０１とを更に備え、
前記非付着部２０１の上部の前端から後端までの部位が前記外側内装材１０に非付着状態に設定されている。
【００２９】
この場合、剛性の高い付着部Ｗ１０により踵のホールド性が向上する一方で、剛性の低い非付着部Ｗ１１により中足の動きが妨げられにくい。
【００３０】
好ましくは、接地面を有するアウトソール４と、
前記アウトソール４の上に配置された熱可塑性樹脂の発泡体を主体とするミッドソール５と、
前記ミッドソール５に固着され足の甲を包むアッパー６とを更に備え、
前記捩れ部Ｗ２及び斜め横断部Ｗ４が前記ミッドソール５よりも伸び難い帯状及び／又は紐状の部材で形成されている。
この場合、ラップの伸びを抑制し得る。
【００３１】
好ましくは、複数のクリートを有し、革又は合成樹脂の非発泡体を主体とするソールと、
前記ソールに固着され足の甲を包むアッパー６とを更に備え、
前記ソールの少なくとも一部により前記内側底部Ｗ３が形成されている。
前記クリートは合成樹脂の非発泡体または金属により形成されている。
【００３２】
この場合、剛性の大きい革又は合成樹脂の非発泡体のソールが内側底部Ｗ３として機能し、別途、内側底部Ｗ３を構成する部材が設けられなくもよい。
【００３３】
好ましくは、足の甲を包むアッパー６が前記内装材１と前記内装材１よりも伸び難い外装材２とを備え、
前記外装材２の下縁がソールの上縁の内面に沿って延びており、
前記外装材２の下縁およびソールの一部により前記内側底部Ｗ３の少なくとも一部が形成されている。
【００３４】
この場合、伸び難い外装材２の下縁とソールの一部により内側底部Ｗ３の少なくとも一部が形成され、そのため、内側底部Ｗ３となる非伸縮材を別途配置する場合に比べコストアップを抑えることができるだろう。
【００３５】
好ましくは、前記ソールは、接地面を有するアウトソール４と、
前記アウトソール４の上に配置された熱可塑性樹脂の発泡体を主体とするミッドソール５と、
足の少なくとも内側ＭのアーチＭＡにおいて前記ミッドソール５に付着され、足のアーチが低下するのを抑制する強化部材７とを包含し、
前記ミッドソール５を前記強化部材７が強化することで、前記内側底部Ｗ３が強化されている。
【００３６】
この場合、強化部材により内側底部Ｗ３が強化され、内側底部Ｗ３の伸びや曲がりを抑制し易い。
【００３７】
好ましくは、前記斜め横断部Ｗ４の一端部はソールの上面に沿って、かつ、前記母趾球Ｏ１の裏面の少なくとも一部を覆うように、前記母趾球Ｏ１の側面から前記母趾球Ｏ１の下方に潜り込むように延びている。
【００３８】
この場合、母趾球Ｏ１の下方に斜め横断部Ｗ４の一端部が潜り込んでいることにより、母趾球Ｏ１において鉛直下方に向かって踏付力が作用した際に、母趾球Ｏ１のラップがソールと母趾球Ｏ１とで挟まれた状態で母趾球Ｏ１に踏み付けられ、前記”棚落ち”抑制や踵の外捩れ抑制の効果が高まるだろう。
【００３９】
好ましくは、ソールは中足の内側において巻き上る巻上部５０を備え、
前記捩れ部Ｗ２の前端部は、前記巻上部５０の上面に沿って、かつ、足裏の内側ＭのアーチＭＡと前記巻上部との間に潜り込むように延びている
【００４０】
この場合、捩れ部Ｗ２の前端部が足の内側のアーチとソールの巻上部との間で挟まれており、ラップの捩れ部Ｗ２の前端が足の内側のアーチで押さえ付けられ、前記”棚落ち”抑制等の効果が高まるだろう。
【００４１】
前記「ソールの上面に沿って」や「前記巻上部の上面に沿って」とは、斜め横断部Ｗ４の一端部や捩れ部Ｗ２の前端部が前記各上面に直接接合されている場合と、前記各上面とラップとの間に外装材２などが介挿されている場合がある。したがって、一般に前記各上面に前記ラップの一部が積層されたような構造となるだろう。
【００４２】
好ましくは、前記斜め横断部Ｗ４は前記立方骨ＢＣｕの少なくとも一部及び／又は前記第５中足骨Ｂ５の粗面Ｂ５ｆの少なくとも一部を覆う部位から、前記母趾の上面の一部に至る経路において足の甲の表面に沿って螺旋状に、かつ、連続的に延びている。
【００４３】
ここで、「螺旋状に延びている」とは、足の甲の表面は複雑な曲面で形成されているが、当該曲面に沿って斜めに巻き付くように延びることを意味する。「連続的に延びている」とは、斜め横断部Ｗ４が内側と外側とで完全に分離され、アッパーの前記内側と外側とを連結する通常のシューレース自体が斜め横断部Ｗ４を形成し得ないことを意味する。
【００４４】
シューレース自体のみで、アッパーの内側と外側とを連結した場合、甲の動きを妨げないようにシューレースには緩みがあり、かつ、通常のシューレースが配置されるラインは前記螺旋のラインとは大きく異なり、したがって、”棚落ち”抑制及び踵の外捩れ抑制の効果が著しく、低下するからである。
【００４５】
本質的ないし実質的に延びないシューレースで、かつ、前記螺旋に沿ってシューレースが配置される場合、当該シューレースは斜め横断部Ｗ４の一部を構成する。
【００４６】
なお、「足の甲の表面に沿って」とは、斜め横断部Ｗ４が少なくとも内装材１を介して甲の表面上に配置されることを意味する。
【実施例】
【００４７】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。【００４８】
本発明の実施例の説明に先立って、まず、本発明にかかるループ状のラップの経路について説明される。
図１においてラップＷは踵部Ｗ１、捩れ部Ｗ２、内側底部Ｗ３および斜め横断部Ｗ４を備える。なお、図１〜図９において、ラップＷには小さい網点が付されている。【００４９】
図１〜図３に示すように、前記踵部Ｗ１は踵骨ＢＣの内側Ｍ、背面Ｂおよび外側Ｌを連続的に覆う。【００５０】
図１の捩れ部Ｗ２は前記踵部Ｗ１の内側Ｍにおいて前記踵部Ｗ１の前端部に連なり、前記足の内側Ｍにおいて捩れながら足裏の下方に向かい、帯状及び／又は紐状である。
前記内側底部Ｗ３は前記捩れ部Ｗ２の前端部に連なり、前記足裏の下方において母趾球Ｏ１までソールの内足部に沿って延びる。
すなわち、前記足の内側Ｍにおいて、ラップＷ（前記踵部Ｗ１，前記捩れ部Ｗ２および前記内側底部Ｗ３）の上縁は踵骨ＢＣの後端よりも上方に位置し、前記踵骨ＢＣの後部の側面を通り、第１中足骨Ｂ１の下方に向かって延びている。換言すると、前記ラップＷの上縁は前記踵骨ＢＣの後端よりも上方の位置から前方に行くに従い下方に向かって延びている。【００５１】
前記斜め横断部Ｗ４は、図２の前記踵部Ｗ１の外側Ｌにおいて前記踵部Ｗ１の前端部に連なり、立方骨ＢＣｕの少なくとも一部及び／又は第５中足骨Ｂ５粗面Ｂ５ｆの少なくとも一部を覆う。更に足の甲の上面を斜め前方に向かって延び、図１の母趾の上面の一部及び前記母趾球Ｏ１の側面の少なくとも一部を覆い、帯状及び／又は紐状である。
すなわち、前記足の外側Ｌにおいて、ラップＷ（前記踵部Ｗ１および前記斜め横断部Ｗ４）の上縁は前記踵骨ＢＣの後端よりも上方の位置から前記踵骨ＢＣの後部の側面を通って前方に行くに従い下方に向かって延びている。前記踵骨ＢＣの前部の下方の位置まで延びた後、前記立方骨Ｂｃｕの下部の側面を通り、前方に行くに従い上方に向かって延びている。換言すると、前記ラップＷは前記踵骨ＢＣの後端よりも上方の位置から一旦下方へ向かって延びた後に上方へ向かって延びている。【００５２】
図２の前記斜め横断部Ｗ４は前記立方骨Ｂｃｕの少なくとも一部及び／又は前記第５中足骨Ｂ５の粗面Ｂ５ｆの少なくとも一部を覆う部位から、図１の前記母趾の上面の一部に至る経路において、足の甲の表面に沿って螺旋状に、かつ連続的に延びている。
図３に示すように、前記斜め横断部Ｗ４は足の外側Ｌから足の内側Ｍへ斜め前方へ向かって延びており、足の甲の上面において第４中足骨Ｂ４の骨底の一部を通り、かつ、第３中足骨Ｂ３の骨体および第２中足骨Ｂ２の骨頭の一部を通って第１中足骨Ｂ１の骨頭（母趾球Ｏ１）まで延びている。
図１に示すように、母趾球Ｏ１の下方に位置する前記斜め横断部Ｗ４の下端部Ｗ４３（前記内側底部Ｗ３の前端部）において、前記斜め横断部Ｗ４と前記内側底部Ｗ３とが連なっている。【００５３】
つぎに、具体的な一実施例が図４〜図１１にしたがって説明される。
以下、ラップＷの説明に先立って、本実施例の全体構造が説明される。図４および図５に示す本実施例はソール４Ａとアッパー６とシューレース３とを備える。【００５４】
図４において、前記ソール４Ａは、互いに一体に結合されたアウトソール４、ミッドソール５、強化部材７およびインソール（中底）８（図１０）を備える。なお、ミッドソール５にはアッパー６が固着されている。
図１０に示すように、前記アウトソール４は接地面を有し、本実施例の場合、ゴムやウレタン樹脂などを主素材としており、ミッドソール５に比べ、ヤング率が大きく、比較的伸び難い。ゴム製等のアウトソール４の接地面４１はインドア競技において、床面との間に大きな摩擦力を発生させる。【００５５】
前記ミッドソール５は前記アウトソール４の上に配置された熱可塑性樹脂の発泡体を主体とし、たとえば、ＥＶＡの発泡体を主体とし、一部にゲルなどの他の緩衝部材が含まれていてもよい。【００５６】
図１０の前記強化部材７は、例えば熱可塑性ないし熱硬化性樹脂などの非発泡体からなり、本実施例の場合、足の少なくとも内側ＭのアーチＭＡ（図１）において前記ミッドソール５に付着され、足のアーチＭＡが低下するのを抑制する。この強化部材７は前記アウトソール４およびミッドソール５に比べヤング率が大きく、着用中の負荷では殆ど伸びが生じない。【００５７】
図４、図１０および図１１に示すように、前記ミッドソール５および強化部材７は、内側Ｍおよび外側Ｌの双方において、アッパー６に沿って上方に巻き上がる巻上部５０、７０を有する。したがってこれらの巻上部５０、７０においては、ミッドソール５及び／又は強化部材７がアッパー６の下端部と積層された状態となっている。【００５８】
前記インソール（中底）８（図１０および図１１）の上には、図示しないソックライナ（中敷き）が載せられる。【００５９】
図５において、前記アッパー６は、内装材１および外装材２を備える。前記アッパー６は足の甲を包むと共に足を挿入するための履き口６０を定義する。なお、アッパー６はシューレース３によって締め付けられる。【００６０】
図１０および図１１に示すように、内装材１は足の上面、側面又は背面に接する。前記内装材１はメッシュ状や織布などの伸び易い素材で形成され、足をソフトに包むと共に足当たりを良くする。【００６１】
図１０の内装材１は、舌片状の内装材１Ｔ、内側内装材１Ｍおよび外側内装材１０を備える。図１１および図４に示すように、本実施例の場合、前記舌片状の内装材１Ｔは、内装材１のうちの最も内に配置され、前足部において、足の甲の内側Ｍ、上面および外側Ｌを覆うと共に、これらに直接接する。【００６２】
前記内側内装材１Ｍおよび外側内装材１０は、舌片状の内装材１Ｔの外（周囲）に配置され、舌片状の内装材１Ｔの存在する前足部ないし中足部においては、それぞれ、足の内側面および外側面に舌片状の内装材１Ｔを介して間接的に足に接する。
一方、前記内側内装材１Ｍおよび外側内装材１０は、舌片状の内装材１Ｔの存在しない中足部ないし後足部においては、それぞれ、足の内側面および外側面に直接的に足に接する。【００６３】
前記前足部、中足部および後足部とは、それぞれ、足の前足、中足および後足を覆う部位を意味する。前記前足は５本の中足骨と１４個の趾骨からなる。前記中足は舟状骨、立方骨および３個の楔状骨からなる。前記後足は距骨および踵骨からなる。【００６４】
図８および図１０に示すように、前記外装材２は、内側外装材２Ｍおよび外側外装材２０を備える。前記外側外装材２０は第１の外側外装材２１と第２の外側外装材２２とを備える。
前記外装材２の材料としては、たとえば、人工皮革や合成皮革などの伸び難い又は実質的に伸びない材料を用いる。また、屈曲性を高めるために、外装材に適宜貫通孔を設け、同貫通孔に内装材よりも伸び難いメッシュ材を配置してもよい。
なお、図１０および図１１において、各部材間の接着ないし縫着部分はｘｘｘの記号を付して図示されている。【００６５】
図８および図９に示すように、本実施例の運動靴では、
前記外側内装材１０に外側外装材２０が前記踵部Ｗ１において一体に付着された付着部Ｗ１０と、前記外側内装材１０に外側外装材２０のうちの第１の外側外装材２１が少なくとも中足部の上部において非付着状態の非付着部２０１とを備える。
前記非付着部２０１の上部の前端から後端までの部位は前記外側内装材１０に非付着状態に設定されている。【００６６】
つぎに、ループ状の前記ラップＷと前記靴の構造との関係について説明する。
前記ラップＷは前記内装材１の一部を覆い、前記内装材１よりも伸び難い素材で形成され、好ましくはアウトソール４およびミッドソール５よりも伸び難い素材で形成される。【００６７】
図４において、本実施例の場合、前記踵部Ｗ１は細かい網点を付した帯状の非伸縮材と、踵の下部をホールド（支持）するヒールカウンタ２３とを備える。本例の場合、ヒールカウンタ２３は帯状の踵部Ｗ１の下部の肌面側（内）に積層された状態となっている。
なお、ヒールカウンタ２３は一般に剛性が大きく、したがって、本例のようにヒールカウンタ２３の外（周囲）に踵部Ｗ１が配置されている方が、ラップＷがヒールカウンタ２３ごと足を引き付けることができる。【００６８】
前記捩れ部Ｗ２は図１の踵骨ＢＣの内側面において、踵部Ｗ１に連なっている。図１、図４及び図１０に示すように、前記捩れ部Ｗ２の前端部Ｗ２１は、中足の内側において巻き上げる前記巻上部５０の上面に沿って、かつ、足裏の内側ＭのアーチＭＡと前記巻上部との間に潜り込むように延びている。
より詳しくは、図１０のように、前記捩れ部Ｗ２は互いに接合（接着及び／又は縫着）された内側内装材１Ｍと内側外装材２Ｍの間に挿入されて、これらの部材１Ｍ、２Ｍに接合されている。
図４および図５に示すように、前記踵部Ｗ１の上には踵骨の少なくとも一部を覆う外装材２８が部分的に積層されて配置されている。前記外装材２８の上縁は前記踵部Ｗ１および前記捩れ部Ｗ２の下部にオーバーラップしながら足の内側において前記踵部Ｗ１および前記捩れ部Ｗ２に対して並行に延びている。すなわち、前記外装材２８の上縁は前方に行くに従い下方に延びており、前記外装材２８の肌面側（内）に前記踵部Ｗ１および前記捩れ部Ｗ２の下部が部分的に積層されて配置されている。
図６に示すように、前記外装材２８の上縁は前記踵部Ｗ１の下部にオーバーラップしながら足の外側において前記踵部Ｗ１に対して並行に延びている。すなわち、前記外装材２８の上縁は前方に行くに従い下方に延びており、前記外装材２８の肌面側（内）に前記踵部Ｗ１の下部が部分的に積層されて配置されている。【００６９】
図６〜図９に示すように、前記斜め横断部Ｗ４は前記帯状及び／又は紐状の第１部Ｗ４１第２部Ｗ４２と連結構造Ｊとを備える。本実施例の場合、前記斜め横断部Ｗ４は図３の踵骨ＢＣの外側面の下部ないし下方において踵部Ｗ１に連なっている。以下連結構造Ｊについて説明する。【００７０】
図６の前記第２部Ｗ４２の先端部においては前記第１部Ｗ４１が挿通される貫通孔Ｗ４０が定義される。
前記第１部Ｗ４１の先端部は前記貫通孔Ｗ４０に挿入されて折り返されている。
前記アッパー６を締め付けるシューレース３は、前記第１部Ｗ４１の前記折り返された先端部に紐通し孔Ｊ０（図７）において係合して、ラップＷの緊締力が発揮される。【００７１】
こうして、前記連結構造Ｊは前記斜め横断部Ｗ４が緩んで足の甲が前記斜め横断部Ｗ４の下を通り抜けることができる非着用状態と、前記斜め横断部Ｗ４が足の甲を緊締した着用状態とを選択するために、前記第１部Ｗ４１と前記第２部Ｗ４２とを互いに脱着可能に連結すると共に前記斜め横断部Ｗ４に付与した緊締力を保持する。
すなわち、図７に示すように、靴の着用時にはシューレース３の締付により、前記第１部Ｗ４１の折り返された部分を介して前記第１部Ｗ４１および第２部Ｗ４２（前記斜め横断部Ｗ４）が足の甲を緊締する。【００７２】
図８、図９および図１１に示すように、前記第２部Ｗ４２の大半は、互いに一体の外側内装材１０および第２の外側外装材２２と第１の外側外装材２１との間に配置されている。本実施例の場合、第２部Ｗ４２は、互いに接合された外側内装材１０および第２の外側外装材２２の外表面に接合されている。【００７３】
一方、図５および図１１に示すように、前記第１部Ｗ４１の大半は、互いに一体に接合された舌片状の内装材１Ｔおよびクッション材１Ｃと、互いに一体に接合された内側内装材１Ｍおよび内側外装材２Ｍとの間に配置されている。第１部Ｗ４１の上部は、アッパー６の内側と外側との間の開口において露出する。
なお、図４に示す第１部Ｗ４１は前記クッション材１Ｃに断続的に縫着されてもよい。【００７４】
図４および図１１に示すように、前記第１部Ｗ４１の下端部Ｗ４３はミッドソール５の上面に沿って、かつ、図１の前記母趾球Ｏ１の裏面の少なくとも一部を覆うように、前記母趾球Ｏ１の側面から前記母趾球Ｏ１の下方に向かって潜り込むように延びている。
つまり、母趾球Ｏ１からの踏み付け力が第１部Ｗ４１の下端部Ｗ４３に負荷されるように下端部Ｗ４３がミッドソール５の上面に沿って配置されるのが好ましい。【００７５】
図４において、前記内側底部Ｗ３はソール４Ａの一部又は全部で形成される。本実施例の場合、内側底部Ｗ３はミッドソール５とミッドソール５を強化する強化部材７とアウトソール４とで形成されている。この場合、前記ミッドソール５を前記強化部材７が強化することで、前記内側底部Ｗ３が強化されている。【００７６】
下端部Ｗ４３と強化部材７との間は、アウトソール４およびミッドソール５で連結され、前端部Ｗ２１と強化部材７との間はミッドソール５で連結されている。そのため、これらの連結部分（主に巻上部５０）のミッドソール５には若干の伸びが生じるかもしれない。しかし、前記”棚落ち”等が生じる動作時には前記連結部分に強い圧縮力が負荷され、前記伸びは殆ど生じないだろう。
上述のとおり、ラップＷの一部（内側底部Ｗ３）は非伸縮材で形成されていなくてもよいが、アッパー６に巻きついているラップＷの部分（踵部Ｗ１、捩れ部Ｗ２および斜め横断部Ｗ４）は非伸縮材で形成されている方が好ましい。【００７７】
すなわち、図１０および図１１のように、前記内側外装材２Ｍの下縁がソール４Ａの上縁の内面に沿って延びており、前記内側外装材２Ｍの下縁およびソール４Ａの一部により前記内側底部Ｗ３の少なくとも一部が形成されている。【００７８】
ここで、インドア競技用ではなく、複数のクリートを有し、革又は合成樹脂の非発泡体を主体とする硬いソールの場合、前記硬いソールの少なくとも一部により前記内側底部Ｗ３が形成される。【００７９】
つぎに、図８および図９の外側外装材２０について説明する。
前記外側外装材２０における前記斜め横断部Ｗ４を覆う部位の少なくとも一部、並びに、前記外側外装材２０における前記斜め横断部Ｗ４よりも前方の部位のうちの少なくとも一部において、前記第１の外側外装材２１は前記外側内装材１０および第２の外側外装材２２に付着されていない。
また前記シューレース３が係合するための係合部（貫通孔）２７が前記第１の外側外装材２１の前記外側内装材１０および第２の外側外装材２２に付着されていない非付着部２０１に複数設けられている。【００８０】
前記複数の係合部２７のうち、互いに隣接する係合部２７の間において、前記第１の外側外装材２１には、その上端から下方に向かって延びるＶ字状や台形状等の切り欠き２９が形成されている。【００８１】
図５〜図７のように配置されたラップＷは、第１部Ｗ４１と第２部Ｗ４２とが互いに係合した状態で、シューレース３が紐通し孔Ｊ０に挿通されて足を締め付ける。インドア競技において、図４の内側に大きなサイドブレーキが作用すると、足の内側は第１部Ｗ４１の下端部Ｗ４３および捩れ部Ｗ２の前端部Ｗ２１が足裏とソール４Ａとの間で挟み付けられる。そのため、ループ状のラップＷは図６の足の外側において、前記”棚落ち”や踵部の外捩れなどを抑制するだろう。【００８２】
ところで、連結構造Ｊとしては雄面と雌面が係合するベルトが用いられてもよい。
また、本実施例の場合、ラップＷは内側底部Ｗ３を除き、帯状に形成されているが、ラップＷは複数本の互いに並列に配置された紐で形成されてもよい。【００８３】
一方、アウトソール４とミッドソール５との間に斜め横断部Ｗ４および捩れ部Ｗ２が挿入されていてもよい。またミッドソール５の前足部や中後足部が２層構造である場合、斜め横断部Ｗ４や捩れ部Ｗ２は前記２層のミッドソールの間に挿入されていてもよい。【００８４】
斜め横断部Ｗ４の下端部Ｗ４３や捩れ部Ｗ２の前端部Ｗ２１はボルトやタッカ（ホチキス）のような留め具でミッドソールに固定されてもよい。【００８５】
斜め横断部Ｗ４の下端部Ｗ４３や捩れ部Ｗ２の前端部Ｗ２１が足裏まで潜り込んでいる必要はなく、アッパー６の内側面の下端部において斜め横断部Ｗ４と捩れ部Ｗ２とを連ねる外装材が設けられていてもよい。【００８６】
ラップＷを形成する非伸縮材は、帯と複数本の紐とを組み合わせてもよいし、帯の幅が部分的に広く又は狭くなっていてもよい。
また、アッパー６に設けられるシューレース３を通す孔の径の大きさをシューレース３の径の大きさよりも小さくしてもよい。この場合、シューレース３が動きにくくなるため、連結構造の緊締状態が維持され易くなるだろう。
また、シューズは軸足のみに本発明の構造が適用されてもよいし、両足とも本発明の構造が適用されてもよい。
したがって、そのような変更および修正は本発明の範囲のものと解釈される。
【産業上の利用可能性】
【００８７】
本発明はバレーボールやハンドボールなどのインドアシューズだけでなく、屋外における競技用のシューズにも適用できる。
【符号の説明】
【００８８】
１：内装材  １Ｃ：クッション材  １Ｍ：内側内装材  １Ｔ：舌片状の内装材  １０：外側内装材
２：外装材  ２Ｍ：内側外装材  ２０：外側外装材  ２１：第１の外側外装材  ２２：第２の外側外装材  ２３：ヒールカウンタ
２７：係合部  ２８：外装材  ２９：切り欠き
３：シューレース  
４：アウトソール  ４Ａ：ソール
５：ミッドソール  ５０：巻上部
６：アッパー  ６０：履き口  ６１：開口
７：強化部材  ７０：巻上部
８：インソール
Ｂ：背面  Ｂ１〜Ｂ５：第１〜第５中足骨  Ｂ５ｆ：粗面  ＢＣ：踵骨
ＢＣｕ：立方骨  
Ｊ：連結構造  Ｊ０：紐通し孔
Ｍ：内側  ＭＡ：アーチ  Ｌ：外側
Ｏ１：母趾球
Ｗ：ラップ  Ｗ１：踵部  Ｗ２：捩れ部  Ｗ３：内側底部  Ｗ４：斜め横断部
Ｗ１０：付着部  ２０１：非付着部
Ｗ４０：貫通孔  Ｗ４１：第１部  Ｗ４２：第２部
Ｚ：鉛直方向  Ｌ：外側  Ｍ：内側
【要約】
運動靴であって、足の面に接する内装材１と、内装材１の一部を覆い、内装材１よりも伸び難い素材で形成されたループ状のラップＷとを備え、ラップＷは、踵骨ＢＣの内側Ｍ、背面Ｂおよび外側Ｌを連続的に覆う踵部Ｗ１と、踵部Ｗ１の内側Ｍにおいて踵部Ｗ１の前端部に連なり、足の内側Ｍにおいて捩れながら足裏の下方に向かう帯状及び／又は紐状の捩れ部Ｗ２と捩れ部Ｗ２の前端部に連なり、足裏の下方において母趾球Ｏ１まで足裏の内側部に沿って延びる内側底部Ｗ３と、踵部Ｗ１の外側Ｌにおいて踵部Ｗ１の前端部に連なり、立方骨ＢＣｕの少なくとも一部及び／又は第５中足骨Ｂ５粗面Ｂ５ｆの少なくとも一部を覆い、更に足の甲の上面を斜め前方に向かって延び母趾の上面の一部及び母趾球Ｏ１の側面の少なくとも一部を覆う帯状及び／又は紐状の斜め横断部Ｗ４とを備える。【図１】
0005591421.tif 000002
【図２】
0005591421.tif 000003
【図３】
0005591421.tif 000004
【図４】
0005591421.tif 000005
【図５】
0005591421.tif 000006
【図６】
0005591421.tif 000007
【図７】
0005591421.tif 000008
【図８】
0005591421.tif 000009
【図９】
0005591421.tif 000010
【図１０】
0005591421.tif 000011
【図１１】
0005591421.tif 000012